(57)【特許請求の範囲】
【請求項１】
第１基板上に各々平行して形成される第１電極及び第２電極と，該第１電極及び前記第２電極に交差して第２基板上に形成されるアドレス電極を含むプラズマディスプレイパネルを駆動する方法において，
リセット区間の間に，
前記第１電極に第１上昇ランプ電圧を印加して第１電圧レベルまで漸進的に上昇させ，その間前記第２電極を第２電圧レベルに維持させる段階と，
前記第２電極に第２上昇ランプ電圧を印加して第３電圧レベルまで漸進的に上昇させ，その間前記第１電極を負の電圧レベルである第４電圧レベルに維持させる段階と，
前記第２電極に下降ランプ電圧を印加して負の極性を有する第５電圧レベルまで漸進的に下降させ，その間前記第１電極を第６電圧レベルに維持させる段階と，
前記リセット区間の間，前記アドレス電極を第９電圧レベルに維持させる段階とを含み，
前記第１電圧レベルと前記第２電圧レベルの電圧差は，前記第６電圧レベルより大きく，
維持放電区間の間に，
第１サブ期間の間に，前記第１電極に第７電圧レベルを，前記第２電極に第８電圧レベルを同時に印加する段階と，
その後の第２サブ期間の間に，前記第１電極に第８電圧レベルを，前記第２電極に前記第７電圧レベルを同時に印加する段階とをさらに含み，
前記第７電圧レベルと前記第８電圧レベルは同じ大きさと互いに異なる位相を有し，
前記第２電圧レベルは前記第５電圧レベルと同一であることを特徴とする，駆動方法。
【請求項２】
前記第９電圧レベルは前記第５電圧レベルより高いことを特徴とする，請求項１に記載の駆動方法。
【請求項３】
前記第６電圧レベルは前記第１電圧レベルより低いことを特徴とする，請求項１に記載の駆動方法。
【請求項４】
前記第２電圧レベルは接地レベルであることを特徴とする，請求項１に記載の駆動方法。
【請求項５】
前記第５電圧レベルと前記第６電圧レベルとの間の電圧差は前記第２電極と前記アドレス電極との間の放電を起こせる範囲以内であることを特徴とする，請求項３に記載の駆動方法。
【請求項６】
前記第３電圧レベルと前記第４電圧レベルとの間の電圧差は前記第１電極と前記第２電極との間の放電を起こせる範囲以内であることを特徴とする，請求項１に記載の駆動方法。
【請求項７】
前記第１サブ期間と前記第２サブ期間は維持放電区間を通じて交互に繰り返されることを特徴とする，請求項１に記載の駆動方法。
【請求項８】
前記第７電圧レベルと前記第８電圧レベルとの間の電圧差は前記第１電極と前記第２電極との間の放電を維持する範囲以内であることを特徴とする，請求項１に記載の駆動方法。
【請求項９】
前記第５電圧レベルの大きさは，前記第７電圧レベルの大きさと同一に設定されることを特徴とする，請求項８に記載の駆動方法。
【請求項１０】
前記第４電圧レベルの大きさは前記第７電圧レベルの大きさと同一に設定されることを特徴とする，請求項９に記載の駆動方法。
【請求項１１】
前記第１上昇ランプ電圧は前記第７電圧レベルから前記第１電圧レベルと同一である前記第６電圧レベルまで漸進的に増加することを特徴とする，請求項１に記載の駆動方法。
【請求項１２】
前記第５電圧レベルの大きさは前記第７電圧レベルの大きさと同一に設定されることを特徴とする，請求項１に記載の駆動方法。
【請求項１３】
前記第１電圧レベルと前記第２電圧レベルとの間の電圧差は前記第１電極と前記第２電極との間の放電を起せる範囲以内であることを特徴とする，請求項１２に記載の駆動方法。
【請求項１４】
前記第５電圧レベルの大きさは前記第７電圧レベルの大きさと同一に設定されることを特徴とする，請求項１３に記載の駆動方法。
【請求項１５】
前記第４電圧レベルの大きさは前記第７電圧レベルの大きさと同一に設定されることを特徴とする，請求項１４に記載の駆動方法。
【請求項１６】
第１基板上に各々平行して形成される第１電極及び第２電極と，前記第１電極及び前記第２電極に交差して，第２基板上に形成されるアドレス電極を含むプラズマディスプレイパネルを駆動する方法において，
リセット区間内に，
前記第２電極に第１下降ランプ電圧を印加して第１１電圧レベルから第１２電圧レベルまで漸進的に下降させ，その間前記第１電極を第１１電圧レベルに維持させる段階と，
前記第２電極に第１上昇ランプ電圧を印加して第１３電圧レベルまで漸進的に上昇させ，その間前記第１電極を第１４電圧レベルに維持させる段階と，
前記第２電極に第２下降ランプ電圧を印加して負の極性を有する第１５電圧レベルまで漸進的に下降させ，その間前記第１電極を第１６電圧レベルに維持させる段階と，
前記リセット区間内に前記アドレス電極を第１７電圧レベルに維持させる段階とを含み，
維持放電区間内に，
第１サブ期間の間に，前記第１電極に第１８電圧レベルを，前記第２電極に前記第１１電圧レベルを同時に印加する段階と，
その後の第２サブ期間の間に，前記第１電極に前記第１１電圧レベルを，前記第２電極に前記第１８電圧レベルを同時に印加する段階とをさらに含み，
前記第１１電圧レベルと前記第１８電圧レベルは同じ大きさと互いに異なる位相を有し，
前記第１２電圧レベルは前記第１５電圧レベルと同一である駆動方法。
【請求項１７】
前記第１７電圧レベルは前記第１５電圧レベルより大きいことを特徴とする，請求項１６に記載の駆動方法。
【請求項１８】
前記第１１電圧レベルと前記第１２電圧レベルとの間の電圧差は前記第１電極と前記第２電極との間の放電を起こせる範囲以内であることを特徴とする，請求項１６に記載の駆動方法。
【請求項１９】
前記第１５電圧レベルの大きさは前記第１８電圧レベルの大きさと同一に設定されることを特徴とする，請求項１８に記載の駆動方法。
【請求項２０】
前記第１４電圧レベルの大きさは前記第１８電圧レベルの大きさと同一に設定されることを特徴とする，請求項１９に記載の駆動方法。
【請求項２１】
第１及び第２基板と，
前記第１基板に平行して形成される第１電極及び第２電極と，
前記第２基板に形成されるアドレス電極と，
リセット区間，アドレス区間，維持放電区間内に前記第１電極，前記第２電極及び前記アドレス電極に駆動信号を送る駆動回路を含み，
リセット区間内に前記駆動回路は，
請求項１から請求項２０のいずれか１項に記載の駆動方法を行うことを特徴とするプラズマディスプレイパネル。
【発明の詳細な説明】
【０００１】
【発明の属する技術分野】
本発明はプラズマディスプレイパネル（ｐｌａｓｍａ  ｄｉｓｐｌａｙ  ｐａｎｅｌ；以下ＰＤＰという）の駆動方法に関し，特に低電圧リセットが可能なプラズマディスプレイパネルの駆動方法に関する。
【０００２】
【従来の技術】
最近，液晶表示装置（ｌｉｑｕｉｄ  Ｃｒｙｓｔａｌ  ｄｉｓｐｌａｙ；ＬＣＤ），電界放出表示装置（ｆｉｅｌｄ  ｅｍｉｓｓｉｏｎ  ｄｉｓｐｌａｙ；ＦＥＤ），ＰＤＰなどの平面表示装置が活発に開発されている。これら平面表示装置の中でＰＤＰは他の平面表示装置に比べて輝度及び発光効率が高くて視野角が広いという長所がある。したがって，ＰＤＰが４０インチ以上の大型表示装置で従来のＣＲＴ（ｃａｔｈｏｄｅ  ｒａｙ  ｔｕｂｅ）を代替する表示装置として脚光を浴びている。
【０００３】
ＰＤＰは気体放電によって生成されたプラズマを利用して文字または映像を表示する平面表示装置であって，その大きさによって数十から数百万個以上のピクセル（ｐｉｘｅｌ）がマトリックス（ｍａｔｒｉｘ）形態に配列されている。このようなＰＤＰは印加される駆動電圧波形の形態と放電セルの構造によって直流形（ＤＣ形ともいう）と交流形（ＡＣ形ともいう）に区分される。
【０００４】
直流形ＰＤＰは，電極が放電空間にそのまま露出されていて電圧印加期間内は電流が放電空間にそのまま流れる。このために，電流制限のための抵抗を作らなければならないという短所がある。反面，交流形ＰＤＰでは，電極を誘電体層が覆っていて自然なキャパシタンス成分の形成で電流が制限され，放電時，イオンの衝撃から電極が保護されるので，直流形に比べて寿命が永いという長所がある。
【０００５】
図１はＡＣ形プラズマディスプレイパネルの一部斜視図である。図１に示したように，第１ガラス基板１の下方には誘電体層２及び保護膜３で下側を覆われた走査維持電極対，すなわち走査電極４と維持電極５が一対をなして平行に設置されて第1基板組立体要部を構成している。
【０００６】
第２ガラス基板６上には絶縁体層７で覆われた複数のアドレス電極８が，走査電極４と交差するように設置される。隣り合うアドレス電極８の間および電極上にある絶縁体層７上には，アドレス電極８と平行に隔壁９が形成されている。また，絶縁体層７の上面及び隔壁９の両側面には蛍光体１０が付着していて，第２基板組立体要部を構成している。第1基板組立体と第２基板組立体は走査電極４とアドレス電極８が直交するように放電空間１１を隔てて対向して積層配置されている。アドレス電極８と，走査電極４との交差部にある放電空間が放電セル１２を形成し，放電セルとその上下にある構成要素の全体が画素である。
【０００７】
図２はプラズマディスプレイパネルの電極配列図を示す。
【０００８】
図２に示したように，ＰＤＰ電極はｍ×ｎのマトリックス構成を有しており，具体的に列方向にはアドレス電極（Ａ１〜Ａｍ）が配列されており，行方向にはｎ行の走査電極（Ｙ１〜Ｙｎ）及び維持電極（Ｘ１〜Ｘｎ）がジグザグに配列されている。図２では，図面の左側に走査電極接続部，右側に維持電極接続部がある。以下では走査電極を"Ｙ電極"，維持電極を"Ｘ電極"と称する。図２に示された放電セル１２は図１に示された放電セル１２に対応する。
【０００９】
図３は従来技術によるプラズマディスプレイパネルの駆動波形図を示し，図４は従来駆動方法を使用する場合の各区間での壁電荷分布を示す図面である。つまり，図（ａ），（ｂ），（ｃ）及び（ｄ）は各々図３に示した駆動波形のタイミング（ａ），（ｂ），（ｃ）及び（ｄ）部分に対応する電荷分布を示す図面である。
【００１０】
図３に示したように従来のＰＤＰの駆動方法によれば，走査の1周期間である各サブフィールドはリセット区間，アドレス区間，維持区間という３種の時間領域で構成される。
【００１１】
リセット区間は，直前維持放電の壁電荷状態を消去し，次のアドレス放電を安定に行うための壁電荷をセットアップ（ｓｅｔｕｐ）する役割を果たす。
【００１２】
アドレス区間は，パネルで点灯されるセルと点灯されないセルを選択して，点灯されるセル（アドレシングされたセル）に壁電荷を積む動作を行う期間である。維持区間はアドレシングされたセルに実際に画像を表示するための放電を行なう期間である。
【００１３】
以下では図３，図４を参照して従来のリセット区間の動作をより詳細に説明する。以下に説明するように，従来のリセット区間は消去区間，Ｙランプ上昇区間，Ｙランプ下降区間からなる。
【００１４】
（１）消去区間
最後の維持放電が終ると，図４（ａ）に示したようにＸ電極には（＋）電荷，Ｙ電極には（−）電荷が積まれる。そして，維持期間の間はアドレス電圧が０Ｖを維持しているが，内部的には常に維持放電の中間電圧を維持しようとするためにアドレス電極Ａには多量の（+）電荷が積まれている。
【００１５】
維持放電が終わると，図３の（ａ）状態から（ｂ）状態に移行するため，Ｘ電極に０ボルトから＋Ｖｅ（例えば，２００ボルト）に向かってなだらかに上昇する消去ランプ電圧を印加する。これにより，Ｘ電極とＹ電極に形成された壁電荷はしだいに消去されて図４（ｂ）の状態のようになる。
【００１６】
（２）Ｙランプ上昇区間
次に図３の（ｂ）から（ｃ）に移行する。この区間ではアドレス電極及びＸ電極を０Ｖに維持し，Ｙ電極には，Ｘ電極に対して放電開始電圧以下である，電圧Ｖｓまで速やかに立ち上げた後，Ｖｓから放電開始電圧を越える電圧であるＶｓｅｔ（例えば，３８０ボルト）に向かってなだらかに上昇するランプ電圧を印加する。このランプ電圧が上昇する間に全ての放電セルでは，Ｙ電極からアドレス電極及びＸ電極に各々１回目の微弱なリセット放電が起こる。その結果，図４（ｃ）に示したように，Ｙ電極に（−）壁電荷が蓄積され，同時にアドレス電極及びＸ電極には（+）壁電荷が蓄積される。
【００１７】
（３）Ｙランプ下降区間
次に図３の（ｃ）から（ｄ）に移行する。まず，Ｘ電極が電圧Ｖｅ，Ｙ電極が電圧Ｖｓになるが，アドレス電極は０ボルトに維持されている。リセット期間の後半にはＸ電極を定電圧Ｖｅに維持した状態で，Ｙ電極にはＸ電極に対して放電開始電圧以下である電圧Ｖｓから放電開始電圧を越える０（Ｖ）に向かってなだらかに下降するランプ電圧を印加する。このランプ電圧が下降する間に再び全ての放電セルでは，２回目の微弱なリセット放電が起こる。その結果，図４（ｄ）に示したように，Ｙ電極の（−）壁電荷が減少して，Ｘ電極は極性が反転されて微弱な（−）電荷が蓄積される。また，アドレス電極の（＋）壁電荷はアドレス動作に適当な値に調整される。この時，理想的にリセット動作を行った場合，放電セル内では次の数式１のように，常に放電開始電圧（Ｖｆ）に相当する電圧差を維持する。
【００１８】
【数１】
0004568474.tif 000002
【００１９】
ここで，Ｖｆ，ｘｙはＸ電極とＹ電極間の放電開始（ｆｉｒｉｎｇ）電圧，Ｖｆ，ａｙはアドレス電極とＹ電極間の放電開始電圧を示し，Ｖｗ，ｘｙはＸ電極とＹ電極に積まれた壁電荷による電圧，Ｖｗ，ａｙはアドレス電極とＹ電極に積まれた壁電荷による電圧，Ｖｅは外部から印加されたＸ電極とＹ電極の間の電圧を示す。
【００２０】
上記式から分かるように，Ｘ電極とＹ電極の間には外部にＶｅ（略２００Ｖに相当する）の電圧が印加されているので，少しの壁電圧さえあれば放電開始電圧を維持することができるが，アドレスとＹ電極は外部印加電圧がないので壁電圧によってのみ放電開始電圧を維持しなければならない。
【００２１】
図４（ｄ）を参照すると，Ｘ電極とＹ電極上に円で表示した電荷は，Ｘ電極とＹ電極間の電圧差を維持するのには全く役に立たないことが分かる。それにも拘わらず，このような電荷が生成される理由は，アドレス側に多量の（＋）電荷を蓄積して，Ｙ電極に（−）電荷を蓄積し，アドレス電極とＹ電極の間の壁電荷だけで放電開始電圧程度の電圧差を作るためである。このように従来の駆動波形によれば，放電を十分にして壁電荷を形成するためには，高いＶｓｅｔ電圧（略３８０Ｖ）が必要となる。
【００２２】
【特許文献１】
特開２０００−２５９１１７号公報
【００２３】
【発明が解決しようとする課題】
したがって，このような波形を実際に適用する場合には，Ｙ電極のリセット動作に必要なＶｓｅｔ電圧を３８０Ｖ以上しなければ十分な電圧マージンを確保することができないため，耐圧の高い素子が必要であり，バックグラウンド発光も強くなって，高いコントラストを達成するのには難しさがある。
【００２４】
本発明は，従来のプラズマディスプレイが有する上記問題点に鑑みてなされたものであり，その目的は，リセット電圧を下げて低電圧素子の使用が可能で，高いコントラストを達成するためのプラズマディスプレイパネルの駆動装置及び駆動方法を提供することである。
【００２５】
【課題を解決するための手段】
上記課題を解決するため，本発明の第１の観点によれば，第１基板上に各々平行して形成される第１電極及び第２電極と，前記第１電極及び前記第２電極に交差して第２基板上に形成されるアドレス電極とを含むプラズマディスプレイパネルを駆動する方法であって，リセット区間内に，前記第１電極に第１上昇ランプ電圧を印加して第１電圧レベルまで漸進的に上昇させ，前記第２電極を第２電圧レベルに維持させる段階と，前記第２電極に第２上昇ランプ電圧を印加して第３電圧レベルまで漸進的に上昇させ，前記第１電極を負の電圧レベルである第４電圧レベルに維持させる段階と，前記第２電極に下降ランプ電圧を印加して負の極性を有する第５電圧レベルまで漸進的に下降させ，前記第１電極を第６電圧レベルに維持させる段階と，前記リセット区間の間に前記アドレス電極を第９電圧レベルに維持させる段階とを含み，前記第１電圧レベルと前記第２電圧レベルの電圧差は，前記第６電圧レベルより大きく，維持放電区間の間に，第１サブ期間の間に，前記第１電極に第７電圧レベルを，前記第２電極に第８電圧レベルを同時に印加する段階と，その後の第２サブ期間の間に，前記第１電極に第８電圧レベルを，前記第２電極に前記第７電圧レベルを同時に印加する段階とをさらに含み，前記第７電圧レベルと前記第８電圧レベルは同じ大きさと互いに異なる位相を有し，前記第２電圧レベルは前記第５電圧レベルと，同一であることを特徴とするプラズマディスプレイパネルの駆動方法が提供される。
【００２６】
また，本発明の第２の観点によれば，第１基板上に各々平行して形成される第１電極及び第２電極と，前記第１電極及び前記第２電極に交差して第２基板上に形成されるアドレス電極とを含むプラズマディスプレイパネルを駆動する方法であって，リセット区間内に，前記第２電極に第１下降ランプ電圧を印加して第１１電圧レベルから第１２電圧レベルまで漸進的に下降させ，前記第１電極を第１１電圧レベルに維持させる段階と，前記第２電極に第１上昇ランプ電圧を印加して第１３電圧レベルまで漸進的に上昇させ，前記第１電極を第１４電圧レベルに維持させる段階と，前記第２電極に第２下降ランプ電圧を印加して負の極性を有する第１５電圧レベルまで漸進的に下降させ，前記第１電極を第１６電圧レベルに維持させる段階と，前記リセット区間の間に前記アドレス電極を第１７電圧レベルに維持させる段階とを含み，維持放電区間内に，第１サブ期間の間に，前記第１電極に第１８電圧レベルを，前記第２電極に前記第１１電圧レベルを同時に印加する段階と，その後の第２サブ期間の間に，前記第１電極に前記第１１電圧レベルを，前記第２電極に前記第１８電圧レベルを同時に印加する段階とをさらに含み，前記第１１電圧レベルと前記第１８電圧レベルは同じ大きさと互いに異なる位相を有し，前記第１２電圧レベルは前記第１５電圧レベルと同一であるプラズマディスプレイパネルの駆動方法が提供される。
【００２７】
本発明の第３の観点によれば，第１及び第２基板と，第１基板に平行して形成される第１電極及び第２電極と，前記第２基板に形成されるアドレス電極と，リセット区間，アドレス区間，維持放電区間の間に前記第１電極，前記第２電極及び前記アドレス電極に駆動信号を送る駆動回路とを含み，リセット区間内に，前記駆動回路は，前記第１電極に第１上昇ランプ電圧を印加して第１電圧レベルまで漸進的に上昇させて前記第２電極を第２電圧レベルに維持させ，前記第２電極に第２上昇ランプ電圧を印加して第３電圧レベルまで漸進的に上昇させて前記第１電極を負の電圧レベルである第４電圧レベルに維持させ，前記第２電極に下降ランプ電圧を印加して負の極性を有する第５電圧レベルまで漸進的に下降させて前記第１電極を第６電圧レベルに維持させ，前記リセット区間を通じて前記アドレス電極を第９電圧レベルに維持させ，前記第１電圧レベルと前記第２電圧レベルの電圧差は，前記第６電圧レベルより大きく，維持放電区間の間に，第１サブ期間の間に，前記第１電極に第７電圧レベルを，前記第２電極に第８電圧レベルを同時に印加し，その後の第２サブ期間の間に，前記第１電極に第８電圧レベルを，前記第２電極に前記第７電圧レベルを同時に印加し，前記第７電圧レベルと前記第８電圧レベルは同じ大きさと互いに異なる位相を有し，前記第２電圧レベルは前記第５電圧レベルと同一であるプラズマディスプレイパネルが提供される。
本発明にかかる駆動波形は，アドレス電極とＸ電極，Ｘ電極とＹ電極の間の相対電圧差を考慮して波形を設計される。このため，リセット電圧を低く抑えられ，また，コントラストを高くとることができる。
【００２８】
【発明の実施の形態】
以下図面を参照しながら本発明の実施の形態にかかるプラズマディスプレイパネルの駆動方法について詳細に説明する。本発明の実施の形態にかかる駆動波形は，以下に説明するようにアドレス電極とＸ電極，Ｘ電極とＹ電極の間の相対電圧差を考慮して波形を設計する。
【００２９】
上述したように，従来の駆動波形によれば，図４（ｄ）において円で表示した壁電荷がＸ電極とＹ電極との間の電圧差を形成するのに何らの寄与もしないことが分かる。つまり，Ｘ電極とＹ電極に４つの電子がなくてもＸ電極とＹ電極の間の電圧差に影響を与えない。
【００３０】
本発明の実施の形態においては，Ｘ電極とＹ電極上に積まれた不必要な（−）電荷を無くしながらも，アドレス電極とＹ電極との間に放電開始電圧がかかって内部電圧差を有するようにする方法を提供する。このようにすれば，生成電荷が少なくてもかまわないので，その分リセット電圧を低くすることができる。
【００３１】
（第１の実施の形態）
リセット電圧を低くするため，第１の実施の形態においては，既存の波形を用いるリセットが終わった時にアドレス電極とＹ電極の間に電圧差をあたえる方法を使用した。つまり，Ｙ電極の電圧としてアドレス電極の電圧（０Ｖ）より更に低い電圧を印加した。この時の壁電荷概念図を図５に示した。
【００３２】
図５に示したように第１の実施の形態によれば，リセット後に理想的にＸ電極には電荷が蓄積されず，アドレス電極とＹ電極に，従来より少ない数の壁電荷が形成される。
【００３３】
この時，第１の実施の形態にかかるプラズマディスプレイパネルの駆動方法によってリセット動作を行った場合，放電セル内で形成された放電開始電圧は次の数式２の通りである。
【００３４】
【数２】
0004568474.tif 000003
【００３５】
ここで，Ｖｆ，ｘｙはＸ電極とＹ電極間の放電開始（ｆｉｒｉｎｇ）電圧，Ｖｆ，ａｙはアドレス電極とＹ電極間の放電開始電圧を示し，Ｖｗ，ｘｙはＸ電極とＹ電極に積まれた壁電荷による電圧，Ｖ’ｗ，ａｙはアドレス電極とＹ電極に積まれた壁電荷による電圧を示す。また，Ｖｅは外部から印加されたＸ電極とＹ電極との間の電圧，Ｖｎは外部から印加されたアドレス電極とＹ電極との間の電圧を示す。
【００３６】
数式２に示したように第１の実施の形態にかかるプラズマディスプレイパネルの駆動方法によれば，リセット終了時点でアドレス電極とＹ電極との間にＶｎの電圧差を維持しているために，アドレス電極とＹ電極に積まれた壁電荷による電圧（Ｖ’ｗ，ａｙ）を低くすることができる。したがって，アドレス電極に積まれる壁電荷を，従来より少なくしてもかまわないので，さらに低いリセット電圧（Ｖｓｅｔ）を用いて駆動することができる。
【００３７】
以下，本実施の形態にかかるプラズマディスプレイパネルの駆動方法による駆動波形をより詳細に説明する。図６は第１の実施の形態にかかる駆動波形を示す図面である。
【００３８】
図６に示したように，第１の実施の形態によれば，下降ランプ区間でＹ電極の電圧をアドレス電圧（グラウンド電圧）より低くすることによって，Ｘ電極とＹ電極の外部印加電圧の差（つまり，Ｖ’ｅ+Ｖｎ）は従来の電圧差（Ｖｅ）と同程度に維持し，アドレス電極とＹ電極には外部印加電圧の差（つまり，Ｖｎ）を与えてアドレス電極とＹ電極との間の不足した壁電荷を補償した。
【００３９】
（第２の実施の形態）
一方，図６に示した第１の実施の形態による駆動波形によれば，下降ランプ区間の電圧をアドレス電圧より低くするために，上記でも説明したようにＶ’ｓｅｔ電圧を少しは低くすることができるが，窮極的に低くすることはできない。それはＶ’ｓｅｔ電圧を下げる場合にはバックグラウンドでレッド，グリーン，ブルーの各色セルには，点灯されたセルと点灯されないセルが存在して，空間的に不均一なバックグラウンド光を生じるためである。したがって，Ｖ’ｓｅｔはバックグラウンドでレッド，グリーン，ブルーの各色セルが全て点灯される程の電圧を維持しなければならないので，Ｖ’ｓｅｔを低くするのに限界がある。
【００４０】
図７に示した第２の実施の形態による駆動波形はこのような第１の実施の形態による駆動波形の短所を解決するためのものである。
【００４１】
図６に示した第１の実施の形態でバックグラウンド放電の安定性に問題が生じた原因は，蛍光体特性によって放電電圧に差が出るためである。
【００４２】
第２の実施の形態の場合，上昇ランプ区間で常にＸ電極とＹ電極との間に放電が起こるようにしてこのような問題を解決する。つまり，図７に示したように，Ｘ電極の電位をアドレス電圧（０Ｖ）に対して負の電圧（−Ｖｍ）まで低くすれば，Ｘ電極とＹ電極のの印加電圧差が（Ｖ’ｓｅｔ+Ｖｍ）と大きくなるのでバックグラウンド放電を安定的に行なうことができる。したがって，第２の実施の形態によれば，図６に示した第１実施例のＶ’ｓｅｔよりＶｍの大きさだけＶ’ｓｅｔ電圧をさらに低くすることができる。
【００４３】
（第３の実施の形態）
ただし，図７に示した第２の実施の形態によると，維持放電区間におけるＸ電極及びＹ電極の電圧は，グラウンド電圧と維持放電電圧（Ｖｓ）が交互に印加されるが，このように維持放電の電圧可変範囲より低い電圧がリセット区間で存在する時は維持放電動作を行う回路からリセット動作を行う回路側に電流が流れることがあるために，これを遮断する回路が必要となって駆動回路が複雑になるという問題点がある。
【００４４】
図８に示した第３の実施の形態による駆動波形はこのような短所を解決するためのものである。
【００４５】
図８に示したように，第３の実施の形態にかかるプラズマディスプレイパネルの駆動方法における波形は，図７に示した波形とほとんど同じである。ただし維持放電区間に違いがあって，Ｘ電極とＹ電極に互いに逆極性のＶｓ/２の電圧を交互に印加する。そして，リセット区間でＹ下降ランプの電圧（−Ｖｎ）を−Ｖｓ/２より大きいか同一に設定し，Ｙ上昇ランプ区間でＸ電極の負のバイアス電圧（−Ｖｍ）を−Ｖｓ/２より大きいか同一に設定することによって，維持区間の電圧より小さい電圧に下降しないように波形を設計した。したがって，維持放電を行なう回路からリセットを行なう回路側に電流が流れないために，これを遮断する回路が不必要で回路をより簡便に構成することができる。
【００４６】
第３の実施の形態では，Ｙ下降ランプの電圧（−Ｖｎ）とＹ上昇ランプ区間でのＸ電極の負のバイアス電圧（−Ｖｍ）を−Ｖｓ/２と同一に設定することができる。この場合には，−Ｖｓ/２電圧を供給する回路をリセット部分と維持放電部分で共有して使用することができるために，回路が簡単になるという長所がある。
【００４７】
（第４の実施の形態）
一方，図８に示した第３の実施の形態によれば，最後の維持放電後に印加するＸ電極の消去上昇ランプの波形の電圧（Ｖｅ）が他の電圧（例えば，Ｖ’ｅ）と異なるために，追加的な電源が必要であるという問題点がある。
【００４８】
図９に示した第４の実施の形態にかかるプラズマディスプレイパネルの駆動方法はこのような短所を解決するためのものである。
【００４９】
図９に示した第４の実施の形態によれば，Ｘ電極の消去上昇ランプの値をＶ’ｅ水準に低くして，代わりにＸ電極の消去上昇ランプに対応するＹ電極の電圧を，Ｙ上昇ランプ区間におけるＸ電極の負バイアス電圧（−Ｖｍ）と同一に設定した。このような回路変更により，Ｘ消去ランプのための電圧（Ｖｅ）を別途に供給する必要がないので回路が簡単になる。
【００５０】
また，第４の実施の形態でも回路をより簡単にするために電圧（−Ｖｎ）と電圧（−Ｖｍ）を−Ｖｓ/２と同一に設定することができる。
【００５１】
（第５の実施の形態）
一方，図９に示した第４の実施の形態によれば，最後の維持放電後に，Ｙ電極の電圧がＶｓ/２から−Ｖｓ/２に変わる時，アドレス電極とＹ電極との間に放電が発生しやすく，これによって放電が不安定になる。つまり，第４の実施の形態によれば，図４（ａ）に示したような維持放電の最後の時点でＹ電極に−Ｖｓ/２電圧が印加されるために，放電が発生しやすい短所がある。このような点はＸ電極の消去波形として細幅消去を使用して克服することができるが，図１０に示した第５の実施の形態のような波形を使用しても克服できる。
【００５２】
図１０に示した第５の実施の形態による駆動波形によれば，最後の維持放電後に，Ｙ電極にはＶｓ/２から−Ｖｎになだらかに下降するランプ電圧を印加し，Ｘ電極には−Ｖｓ/２から+Ｖｓ/２に反転された電圧を印加する。このような電圧波形が消去ランプ波形を形成し，このように消去ランプを実現する場合，実現が容易で放電が安定的であるという長所がある。
【００５３】
図１０の波形を詳説すると，維持放電終了時には，Ｘ電極印加電圧を−Ｖｓ／２から＋Ｖｓ／２に反転させるが，Ｙ電極印加電圧は＋Ｖｓ／２を短時間継続させて放電を停止させ，次回リセット区間の初期に−Ｖｎまで徐々に変化させる。
その後，Ｘ電極に−Ｖｍ，Ｙ電極に＋Ｖｓ／２を同時に印加した後に，Ｙ電極の電圧を徐々にＶ'ｓｅｔまで変化させて，ＸＹ両電極電圧を短時間維持した後に，Ｘ電極は＋Ｖ'ｅ，Ｙ電極は＋Ｖｓ／２に変化させ，続いてＹ電極のみ−Ｖｎまで徐々に変化させた後，Ｙ電極を０ボルトにして，アドレス区間に移行し，ＸＹ両電極を各々＋Ｖ'ｅと０ボルトに維持する。
【００５４】
次の表は図３に示した従来波形と，図１０に示した第５の実施の形態による駆動波形で実際に測定した値を比較したものである。
【表１】
0004568474.tif 000004
【００５５】
上記表１から分かるように第５の実施の形態によれば，従来技術のリセット動作に必要な駆動用高電圧（Ｖｓｅｔ，Ｖｅ）を必要とせず，約６割の低電圧（Ｖ'ｓｅｔ，Ｖ'ｅ）で十分であるために，低電圧素子の使用が可能である。また，低いリセット電圧（Ｖ'ｓｅｔ）を使用してバックグラウンド発光を低くすることができるために，高いコントラストを達成することができる。
【００５６】
上記表１では，図１０に示した第５の実施の形態にかかるプラズマディスプレイパネルの駆動方法の駆動波形に基づいて従来の波形と比較したが，他の実施形態による駆動波形も表１と同様な結果が得られる。
【００５７】
以上，添付図面を参照しながら本発明にかかるプラズマディスプレイパネルの駆動方法の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５８】
【発明の効果】
以上説明したように，本発明にかかるプラズマディスプレイパネルの駆動方法よれば，ＰＤＰ駆動波形のリセット電圧が下げられるので，低電圧素子の使用が可能になり，ＰＤＰの製造費用を節減することができる。
【００５９】
また，低いリセット電圧を使用してバックグラウンド発光を減らすことができるので，高いコントラストを達成することができるという長所がある。
【図面の簡単な説明】
【図１】交流形プラズマディスプレイパネルの一部斜視図である。
【図２】プラズマディスプレイパネルの電極配列図である。
【図３】従来プラズマディスプレイパネルの駆動波形図である。
【図４】図３に示した駆動波形における各段階別壁電荷分布図である。
【図５】本発明の実施の形態にかかる駆動波形における壁電荷分布図である。
【図６】第１の実施の形態にかかるプラズマディスプレイパネルの駆動波形図ある。
【図７】第２の実施の形態にかかるプラズマディスプレイパネルの駆動波形図である。
【図８】第３の実施の形態にかかるプラズマディスプレイパネルの駆動波形図である。
【図９】第４の実施の形態にかかるプラズマディスプレイパネルの駆動波形図である。
【図１０】第５の実施の形態にかかるプラズマディスプレイパネルの駆動波形図である。
【符号の説明】
１  第１ガラス基板
２  誘電体層
３  保護膜
４  走査電極
５  維持電極
６  第２ガラス基板
７  絶縁体層
８  アドレス電極
９  表面及び隔壁
１０  蛍光体
１１  放電空間
１２  放電セル
【図１】
0004568474.tif 000005
【図２】
0004568474.tif 000006
【図３】
0004568474.tif 000007
【図４】
0004568474.tif 000008
【図５】
0004568474.tif 000009
【図６】
0004568474.tif 000010
【図７】
0004568474.tif 000011
【図８】
0004568474.tif 000012
【図９】
0004568474.tif 000013
【図１０】
0004568474.tif 000014